(57)【特許請求の範囲】
【請求項１】
互いに交差する複数の走査線及び複数のデータ線の交差に対応して設けられ、互いに対
向する画素電極及び対向電極間に電気光学物質を夫々有する複数の画素を有し、前記画素
は、第１の極限光学状態、第２の極限光学状態、並びに前記第１の極限光学状態及び前記
第２の極限光学状態間の複数の中間光学状態をとり得る表示部と、該表示部に画像データ
に応じた画像を表示させるために、前記複数の画素の各々の前記画素電極に前記画像デー
タに応じた電圧パルスを複数のフレーム期間において供給する駆動部とを備えた電気光学
装置を制御する制御方法であって、
前記表示部は、前記画素の光学状態の階調及び階調の変化方向に応じて前記電圧パルスの供給に対して階調の変化率が変動する非線形的な特性を有し、
前記画素を第１の中間光学状態に移行させる際の制御工程が、
前記画素電極に対して、前記第１の極限光学状態に至るまで、第１の電圧パルスを供給
する第１制御工程と、
前記第１制御工程の後、前記画素電極に対して、前記第１の中間光学状態に近づくよう
に、前記第１の電圧パルスと逆極性の第２の電圧パルスを供給する第２制御工程と、
前記第１制御工程の前に、前記画素電極に対して、第３の電圧パルスを供給する第３制
御工程と、
前記第３制御工程と前記第１制御工程との間に、前記画素電極に対して、前記第３の電
圧パルスと逆極性の第４の電圧パルスを供給する第４制御工程と
を含み、
前記第３制御工程、前記第４制御工程、前記第１制御工程及び前記第２制御工程により前記画素を任意の光学状態Ａ又は任意の光学状態Ｂに書き換える場合に、前記第１制御工程の期間及び前記第２制御工程の期間に応じて、前記第３制御工程及び前記第４制御工程の各々の期間は、前記画素を前記光学状態Ａから前記光学状態Ｂへと移行させる場合の駆動電圧及び駆動時間の積分値Ｗ（Ａ→Ｂ）と、前記画素を前記光学状態Ｂから前記光学状態Ａへと移行させる場合の駆動電圧及び駆動時間の積分値Ｗ（Ｂ→Ａ）との関係が
Ｗ（Ａ→Ｂ）＝−Ｗ（Ｂ→Ａ）
を満たすように設定されている
ことを特徴とする電気光学装置の制御方法。
【請求項２】
前記第３制御工程及び前記第４制御工程の各々の期間は、前記第３制御工程の開始前の
光学状態が前記第４制御工程終了後の光学状態と同じになるように設定されていることを
特徴とする請求項１に記載の電気光学装置の制御方法。
【請求項３】
前記第３の電圧パルスは、前記第２の電圧パルスと同極性であり、前記第４の電圧パル
スは、前記第１の電圧パルスと同極性であることを特徴とする請求項１又は２に記載の電
気光学装置の制御方法。
【請求項４】
前記第２制御工程では、前記画素電極に対して、前記第１の中間光学状態又は前記第１
の中間光学状態よりも前記第２の極限光学状態に近い中間光学状態に至るまで、前記第２
の電圧パルスが供給され、
前記画素を第１の中間光学状態に移行させる際の制御工程は、
前記第２制御工程の後、前記画素が前記第１の中間光学状態よりも前記第２の極限光学
状態に近い中間光学状態である場合、前記画素電極に対して、前記第１の中間光学状態に
至るまで、前記第１の電圧パルスと同極性の第５のパルスを供給する第５制御工程を更に
含む
ことを特徴とする請求項１から３のいずれか一項に記載の電気光学装置の制御方法。
【請求項５】
前記画素を前記光学状態Ａから光学状態Ｃへと移行させた後に前記光学状態Ｂへと移行
させる場合の駆動電圧及び駆動時間の積分値Ｗ（Ａ→Ｃ→Ｂ）が、前記画素を前記光学状
態Ａから前記光学状態Ｂへと移行させる場合の駆動電圧及び駆動時間の積分値Ｗ（Ａ→Ｂ
）と等しくなることを特徴とする請求項１から４のいずれか一項に記載の電気光学装置の
制御方法。
【請求項６】
前記第３制御工程及び前記第４制御工程の各々の期間は、光学状態と駆動電圧及び駆動
時間の積分値との関係に基づいて決定されるウエイトテーブルを用いて設定されることを
特徴とする請求項１から５のいずれか一項に記載の電気光学装置の制御方法。
【請求項７】
前記ウエイトテーブルは、基準となる光学状態毎に１つのウエイト値を有しており、
前記ウエイト値は、任意の光学状態Ｌｉのウエイト値をＷＨＴ（Ｌｉ）、光学状態Ｌｊ
のウエイト値をＷＨＴ（Ｌｊ）とした場合に、前記画素を前記光学状態Ｌｉから前記光学
状態Ｌｊへと移行させる場合の駆動電圧及び駆動時間の積分値Ｗ（Ｌｉ→Ｌｊ）が、ＷＨ
Ｔ（Ｌｊ）−ＷＨＴ（Ｌｉ）に比例するように決定されている
ことを特徴とする請求項６に記載の電気光学装置の制御方法。
【請求項８】
前記ウエイトテーブルは、基準となる光学状態毎に１つのウエイト値を有しており、
前記ウエイト値は、光学状態に対して単調増加又は単調減少するように決定されている
ことを特徴とする請求項６又は７に記載の電気光学装置の制御方法。
【請求項９】
互いに交差する複数の走査線及び複数のデータ線の交差に対応して設けられ、互いに対
向する画素電極及び対向電極間に電気光学物質を夫々有する複数の画素を有し、前記画素
は、第１の極限光学状態、第２の極限光学状態、並びに前記第１の極限光学状態及び前記
第２の極限光学状態間の複数の中間光学状態をとり得る表示部と、該表示部に画像データ
に応じた画像を表示させるために、前記複数の画素の各々の前記画素電極に前記画像デー
タに応じた電圧パルスを複数のフレーム期間において供給する駆動部とを備えた電気光学
装置を制御する制御装置であって、
該表示部は、前記画素の光学状態の階調及び階調の変化方向に応じて前記電圧パルスの供給に対して階調の変化率が変動する非線形的な特性を有し、
前記画素を第１の中間光学状態に移行させる際に、
前記画素電極に対して、前記第１の極限光学状態に至るまで、第１の電圧パルスを供給
する第１制御手段と、
前記第１制御手段によって前記第１の電圧パルスが供給された後、前記画素電極に対し
て、前記第１の中間光学状態に近づくように、前記第１の電圧パルスと逆極性の第２の電
圧パルスを供給する第２制御手段と、
前記第１制御手段によって前記第１の電圧パルスが供給される前に、前記画素電極に対
して、第３の電圧パルスを供給する第３制御手段と、
前記第３制御手段によって前記第３の電圧パルスが供給された後、且つ前記第１制御手
段によって前記第１の電圧パルスが供給される前に、前記画素電極に対して、前記第３の
電圧パルスと逆極性の第４の電圧パルスを供給する第４制御手段と
を備え、
前記第３の電圧パルス、前記第４の電圧パルス、前記第１の電圧パルス及び前記第２の電圧パルスの供給により前記画素を任意の光学状態Ａ又は任意の光学状態Ｂに書き換える場合に、前記第１の電圧パルスの期間及び前記第２制御の電圧パルスの期間に応じて、前記第３制御手段が前記第３の電圧パルスを供給する期間及び前記第４制御手段が前記第４の電圧パルスを供給する期間の各々は、前記画素を前記の光学状態Ａから前記光学状態Ｂへと移行させる場合の駆動電圧及び駆動時間の積分値Ｗ（Ａ→Ｂ）と、前記画素を前記光学状態Ｂから前記光学状態Ａへと移行させる場合の駆動電圧及び駆動時間の積分値Ｗ（Ｂ→Ａ）との関係が
Ｗ（Ａ→Ｂ）＝−Ｗ（Ｂ→Ａ）
を満たすように設定されている
ことを特徴とする電気光学装置の制御装置。
【請求項１０】
請求項９に記載の電気光学装置の制御装置を備えることを特徴とする電気光学装置。
【請求項１１】
請求項１０に記載の電気光学装置を備えることを特徴とする電子機器。
【発明の詳細な説明】
【技術分野】
【０００１】
本発明は、例えば電気泳動表示装置等の電気光学装置の制御方法、電気光学装置の制御装置、電気光学装置、及び電子機器の技術分野に関する。
【背景技術】
【０００２】
この種の電気光学装置の一例として、電気泳動粒子を含む電気泳動素子を挟んで対向する画素電極及び対向電極間に電圧を印加して、例えば黒色粒子及び白色粒子等の電気泳動粒子を移動させることで表示部に画像を表示する電気泳動表示装置がある。電気泳動素子は、例えば、複数の電気泳動粒子を夫々含む複数のマイクロカプセルから構成され、画素電極及び対向電極間に、樹脂等からなる接着剤によって固定される。なお、対向電極は、共通電極と呼ばれることもある。
【０００３】
このような電気泳動表示装置では、例えば表示面側に白色粒子を移動させるような電圧を印加することで白色を表示でき、表示面側に黒色粒子を移動させるような電圧を印加することで黒色を表示できる。また、上述した白色及び黒色に対応する各電圧が印加される期間を調整することで、白色及び黒色の中間階調（即ち、灰色）を表示することが可能とされている（例えば、特許文献１から３参照）。
【先行技術文献】
【特許文献】
【０００４】
【特許文献１】米国特許出願公開第２００５／０００１８１２号明細書
【特許文献２】米国特許出願公開第２００５／０２８０６２６号明細書
【特許文献３】国際公開２００５／１０１３６３号公報
【発明の概要】
【発明が解決しようとする課題】
【０００５】
中間階調を表示させる際には、白色及び黒色が表示される際の中間位置に各粒子を移動させればよい。ただし、このような制御は容易ではなく、例えば各粒子の位置にばらつきが生じてしまうことで、表示される階調にもばらつきが生じるおそれがある。特に、複数の中間階調を表示させるような場合には、表示画像に与える上述したばらつきの影響は大きい。
【０００６】
これに対し、例えばライトグレー（即ち、白に近い灰色）からダークグレー（即ち、黒に近い灰色）に階調を変化させる場合には、ライトグレーを表示している状態から一旦白色又は黒色を表示する位置に各粒子を移動させ、その後にダークグレーを表示する位置へと各粒子を移動させるようにすれば、画素毎の粒子の位置を揃えることができ好適に中間階調を表示させることができる。
【０００７】
しかしながら、上述したように、相異なる極性の電圧を交互に印加して書き換えを行うと、書き換え工程全体で見た場合に、画素に印加される電圧の極性に偏りが生じてしまうおそれがある。具体的には、例えば白色に対応する極性の電圧を印加する期間と、黒色に対応する極性の電圧を印加する期間とに差が生じてしまうおそれがある。
【０００８】
本願発明者の研究するところによれば、上述した極性の偏りが生じてしまうと、例えば表示の焼き付きや表示部の劣化といった不具合が生じることが判明している。しかしながら、上述した先行技術文献では、このような極性の偏りについて全く言及していない。言い換えれば、上述した先行技術文献を含む従来技術は、画素に印加される極性に偏りが生じてしまうことを防止できないという技術的問題点を有している。
【０００９】
本発明は、例えば前述した問題点に鑑みなされたものであり、画素に印加される電圧の極性に偏りが生じてしまうことを防止し、好適に中間階調を表示させることが可能な電気光学装置の制御方法、電気光学装置の制御装置、電気光学装置、及び電子機器を提供することを課題とする。
【課題を解決するための手段】
【００１０】
本発明に係る電気光学装置の制御方法は上記課題を解決するために、互いに交差する複数の走査線及び複数のデータ線の交差に対応して設けられ、互いに対向する画素電極及び対向電極間に電気光学物質を夫々有する複数の画素を有し、前記画素は、第１の極限光学状態、第２の極限光学状態、並びに前記第１の極限光学状態及び前記第２の極限光学状態間の複数の中間光学状態をとり得る表示部と、該表示部に画像データに応じた画像を表示させるために、前記複数の画素の各々の前記画素電極に前記画像データに応じた電圧パルスを複数のフレーム期間において供給する駆動部とを備えた電気光学装置を制御する制御方法であって、前記画素を第１の中間光学状態に移行させる際の制御工程が、前記画素電極に対して、前記第１の極限光学状態に至るまで、第１の電圧パルスを供給する第１制御工程と、前記第１制御工程の後、前記画素電極に対して、前記第１の中間光学状態に近づくように、前記第１の電圧パルスと逆極性の第２の電圧パルスを供給する第２制御工程と、前記第１制御工程の前に、前記画素電極に対して、第３の電圧パルスを供給する第３制御工程と、前記第３制御工程と前記第１制御工程との間に、前記画素電極に対して、前記第３の電圧パルスと逆極性の第４の電圧パルスを供給する第４制御工程とを含み、前記第３制御工程及び前記第４制御工程の各々の期間は、前記画素を任意の光学状態Ａから光学状態Ｂへと移行させる場合の駆動電圧及び駆動時間の積分値Ｗ（Ａ→Ｂ）と、前記画素を前記光学状態Ｂから前記光学状態Ａへと移行させる場合の駆動電圧及び駆動時間の積分値Ｗ（Ｂ→Ａ）との関係がＷ（Ａ→Ｂ）＝−Ｗ（Ｂ→Ａ）を満たすように設定されている。
【００１１】
本発明に係る電気光学装置の制御方法によって制御される電気光学装置は、複数の走査線と複数のデータ線との交差に対応してマトリクス状に配列された複数の画素を有する表示部を備えている。表示部は、互いに対向する画素電極及び対向電極間に電気光学物質を夫々有している。また、表示部における複数の画素は、第１の極限光学状態、第２の極限光学状態、並びに前記第１の極限光学状態及び前記第２の極限光学状態間の複数の中間光学状態をとることが可能とされている。
【００１２】
ここで「極限光学状態」とは、表示部における電気光学物質に対して所定の電圧を十分に印加することで実現される光学状態である。ただし、本発明に係る「極限光学状態」は、それ以上所定の電圧を印加しても光学状態が全く変化しない状態を意味するだけでなく、例えば複数の画素が同時に極限光学状態となることで、後述する画素間での光学状態のばらつきを低減できる程度に各画素の光学状態を揃えることが可能な光学状態を含む広い概念である。具体的には、例えば電気光学物質が白色の粒子及び黒色の粒子を含む電気泳動素子として構成される場合において、白色の粒子が表示面側に十分に引き寄せられることで表示される白色や、黒色の粒子が表示面側に十分に引き寄せられることで表示される黒色を表示する際の光学状態が、本発明に係る「極限光学状態」に該当する。
【００１３】
また「中間光学状態」とは、第１の極限光学状態と第２の極限光学状態との中間の光学状態を意味しており、例えば上述した白色及び黒色を表示する際の光学状態を極限光学状態とする場合には、灰色を表示する際の光学状態が該当する。「中間光学状態」は、例えば第１の極限光学状態へと光学状態を変化させるための電圧又は第２の極限光学状態へと光学状態を変化させるための電圧を印加する期間を調整することで実現される。より具体的には、例えば電気泳動素子に含まれる白色の粒子及び黒色の粒子の位置を、白色及び黒色を表示させる場合の中間の位置に移動させることで中間光学状態である灰色を表示することができる。
【００１４】
なお、本発明に係る表示部では、例えば淡い灰色や濃い灰色等のように、複数の中間光学状態を各画素がとり得る。このような複数の中間光学状態は、画素電極及び対向電極間における各粒子の位置を調整することで表示することができる。具体的には、白色の粒子を表示面側に比較的近い中間位置とする（或いは、黒色粒子を表示面側から比較的遠い中間位置とする）ことで淡い灰色を表示することができ、白色の粒子を表示面側に比較的遠い中間位置とする（或いは、黒色粒子を表示面側から比較的近い中間位置とする）ことで濃い灰色を表示することができる。
【００１５】
上述した表示部は、駆動部によって、画像データに応じた画像を表示するよう制御される。具体的には、本発明に係る電気光学装置の動作時には、駆動部によって、複数の画素の各々の画素電極に画像データに応じた電圧パルスが供給される。これにより、各画素に画像データに応じた電圧が印加され、表示部では画像データに応じた画像が表示される。
【００１６】
なお、駆動部による各画素への電圧パルスの供給は、複数のフレーム期間に渡って行われる。言い換えれば、表示部の画素に対する電圧の印加は、フレーム期間単位で複数回行われる。具体的には、一のフレーム期間中に、複数の走査線が所定の順番で１回ずつ選択されるとともに、該選択した走査線に対応する画素における画素電極に電圧パルスが複数のデータ線を介して供給される。なお、ここでの「フレーム期間」とは、複数の走査線を所定の順番で１回ずつ選択する期間として予め定められた期間である。つまり、連続する複数のフレーム期間の各々において、複数の画素の各々における画素電極に電圧パルスを供給する制御が１回ずつ行われることにより、表示部に画像データに応じた画像が表示される。
【００１７】
本発明に係る電気光学装置の制御方法によれば、画素を第１の中間光学状態へと移行させる場合に、第１制御工程、第２制御工程、第３制御工程及び第４制御工程の４つの制御工程が行われる。具体的には、第３制御工程、第４制御工程、第１制御工程、第２制御工程の順で各制御工程が行われる。ちなみに、各制御工程は、第１制御工程、第２制御工程、第３制御工程及び第４制御工程以外の工程を含んでいてもよい。即ち、これら４つの制御工程とは別に、書き換え画素の画素電極に対して電圧パルスを供給する工程が存在してもよい。なお、ここでの「第１の中間光学状態」とは、画像の書き換えにおいて目標とされる中間光学状態であり、表示部の画素がとり得る複数の中間光学状態のうちいずれかの光学状態として設定される。
【００１８】
第１制御工程では、表示部における第１の中間光学状態をとるべき画素（以下、適宜「書き換え画素」と称する）に対して、第１の極限光学状態（例えば、白色）に対応する電圧（例えば、−１５Ｖ）が印加される。これにより、書き換え画素は第１の極限光学状態となる。このように、書き換え画素を第１の中間光学状態とする前に、一旦極限光学状態とすることで、複数の画素における光学状態を揃えることができる。具体的には、例えば電気泳動素子に含まれる各粒子の位置を揃えることができる。よって、書き換え画素を中間光学状態へと移行させる場合に、複数の画素間で光学状態にばらつきが生じることに起因して、表示される画像にノイズ等が生じることを防止することができる。なお、書き換え前の光学状態が既に第１の極限光学状態である場合には、第１制御工程を省略することもできる。
【００１９】
第２制御工程では、書き換え画素に対して第２の極限光学状態（例えば、黒色）に対応する電圧（例えば、＋１５Ｖ）が印加される。即ち、第２制御工程では、第１制御工程とは逆極性の電圧が印加される。これにより、書き換え画素における光学状態は、第１の中間光学状態へと近づけられる。よって、第１制御工程において第１の極限光学状態とされた画素を、第１の中間光学状態又は第１の中間光学状態に近い状態とすることができる。
【００２０】
第３制御工程では、書き換え画素の画素電極に対して、第３の電圧パルスが供給される。また、第４制御工程では、書き換え画素の画素電極に対して、第３の電圧パルスとは逆極性の第４の電圧パルスが供給される。第３制御工程及び第４制御工程によれば、実質的な書き換え工程である第１制御工程及び第２制御工程に先立って、第１制御工程で供給される第１の電圧パルスと同極性の電圧及び第２制御工程で供給される第２の電圧パルスと同極性の電圧がそれぞれ供給される。具体的には、第３制御工程で供給される第３の電圧パルスが第１制御工程で供給される第１の電圧パルスと同極性である場合には、第２制御工程で供給される第２の電圧パルスと同極性の第４の電圧パルスが第４制御工程で供給される。或いは、第３制御工程で供給される第３の電圧パルスが第２制御工程で供給される第２の電圧パルスと同極性である場合には、第１制御工程で供給される第１の電圧パルスと同極性の第４の電圧パルスが第４制御工程で供給される。
【００２１】
ここで特に、第３制御工程及び第４制御工程の各々の期間は、画素を任意の光学状態Ａから光学状態Ｂへと移行させる場合の駆動電圧及び駆動時間の積分値Ｗ（Ａ→Ｂ）と、画素を光学状態Ｂから光学状態Ａへと移行させる場合の駆動電圧及び駆動時間の積分値Ｗ（Ｂ→Ａ）との関係がＷ（Ａ→Ｂ）＝−Ｗ（Ｂ→Ａ）を満たすように設定されている。なお、ここでの「駆動電圧」とは、第１制御工程、第２制御工程、第３制御工程及び第４制御工程の各々において画素に印加される電圧であり、「駆動時間」とは、第１制御工程、第２制御工程、第３制御工程及び第４制御工程の各々の期間（即ち、駆動電圧が印加される期間）を意味している。
【００２２】
具体的には、例えば表示部の光学状態がレベル０からレベル７の８段階で変化させられるとすると、レベル２からレベル５へと光学状態を変化させる場合の駆動電圧及び駆動時間の積分値Ｗ（２→５）と、レベル５からレベル２へと光学状態を変化させる場合の駆動電圧及び駆動時間の積分値Ｗ（５→２）とは絶対値が等しくなる。同様に、レベル６からレベル４へと光学状態を変化させる場合の駆動電圧及び駆動時間の積分値Ｗ（６→４）と、レベル４からレベル６へと光学状態を変化させる場合の駆動電圧及び駆動時間の積分値Ｗ（４→６）とは絶対値が等しくなる。なお、ここでの「等しい」とは、積分値の絶対値が完全に一致する場合を含む他、後述する本発明の効果が発揮される程度に互いの値が近い状態を含む広い概念である。
【００２３】
上述したＷ（Ａ→Ｂ）＝−Ｗ（Ｂ→Ａ）という関係が満たされることにより、書き換え画素に対して印加される電圧の極性に偏りが生じてしまうことを防止することができる。具体的には、第１の極限光学状態に対応する電圧パルスが供給される期間と、第２の極限光学状態に対応する電圧パルスが供給される期間との差が小さくすることができる。よって、画素におけるＤＣバランス比が崩れてしまうことが抑制され、表示の焼き付きや表示部の劣化といった不具合を効果的に防止できる。
【００２４】
ちなみに、Ｗ（Ａ→Ｂ）＝−Ｗ（Ｂ→Ａ）という関係は、例えばＥＰＤ（Electrophoretic Display）等の電気泳動素子を用いる表示部では、その非線形特性により、第１制御工程及び第２制御工程だけで実現することが極めて困難である。しかるに本発明では、第１制御工程及び第２制御工程の前に、第３制御工程及び第４制御工程が行われるため、第３制御工程及び第４制御工程の各々の期間を調節することで、好適にＷ（Ａ→Ｂ）＝−Ｗ（Ｂ→Ａ）という関係を実現することができる。
【００２５】
以上説明したように、本発明に係る電気光学装置の制御方法によれば、第３制御工程及び第４制御工程によってＤＣバランス比を保ちつつ、好適に所望の中間光学状態を実現させることができる。この結果、電気光学装置において、高い信頼性を実現しつつ、高品位な画像を表示させることが可能となる。
【００２６】
本発明に係る電気光学装置の制御方法の一態様では、前記第３制御工程及び前記第４制御工程の各々の期間は、前記第３制御工程の開始前の光学状態が前記第４制御工程終了後の光学状態と同じになるように設定されている。
【００２７】
この態様によれば、第３制御工程及び第４制御工程を行ったとしても、その前後で書き換え画素の光学状態が変化しない。このため、第３制御工程及び第４制御工程によらずに、第１制御工程及び第２制御工程の期間を設定することができる。従って、極めて容易に各制御工程の期間を設定することができる。
【００２８】
本発明に係る電気光学装置の制御方法の他の態様では、前記第３の電圧パルスは、前記第２の電圧パルスと同極性であり、前記第４の電圧パルスは、前記第１の電圧パルスと同極性である。
【００２９】
この態様によれば、先ず第３制御工程において一の極性の第３の電圧パルスが供給され、続く第４制御工程及び第１制御工程において他の極性の第４の電圧パルス及び第１の電圧パルスが順次供給され、第２制御工程において再び一の極性の第２の電圧パルスが供給される。即ち、第４制御工程及び第１制御工程では、連続して同じ極性の電圧パルスが供給される。
【００３０】
このようにすれば、第３の電圧パルスと第１の電圧パルスとを同極性にし、第４の電圧パルスと第２の電圧パルスとを同極性にする場合と比べて、極性の切替えが少ない分、処理を簡単なものとすることができる。
【００３１】
本発明に係る電気光学装置の制御方法の他の態様では、前記第２制御工程では、前記画素電極に対して、前記第１の中間光学状態又は前記第１の中間光学状態よりも前記第２の極限光学状態に近い中間光学状態に至るまで、前記第２の電圧パルスが供給され、前記画素を第１の中間光学状態に移行させる際の制御工程は、前記第２制御工程の後、前記画素が前記第１の中間光学状態よりも前記第２の極限光学状態に近い中間光学状態である場合、前記画素電極に対して、前記第１の中間光学状態に至るまで、前記第１の電圧パルスと同極性の第５のパルスを供給する第５制御工程を更に含む。
【００３２】
この態様によれば、制御工程には、上述した第１制御工程、第２制御工程、第３制御工程及び第４制御工程に加えて、第５制御工程が含まれる。各制御工程は、第３制御工程、第４制御工程、第１制御工程、第２制御工程、第５制御工程の順に行われる。
【００３３】
本態様では特に、第２制御工程後の書き換え画素の光学状態は、第１の中間光学状態又は第１の中間光学状態よりも第２の極限光学状態に近い光学状態とされる。言い換えれば、第２制御工程後の書き換え画素の光学状態は、第１の中間光学状態よりも第１の極限光学状態に近い光学状態とはされない。
【００３４】
そして、第２制御工程に続く第５制御工程では、第１の中間光学状態よりも第２の極限光学状態に近い光学状態となった書き換え画素に対して、再び第１の極限光学状態に対応する電圧が印加される。これにより、書き換え画素の光学状態は第１の極限光学状態に近づけられる。即ち、第１の中間光学状態へと更に近づけられる。なお、第５制御工程において印加される電圧は、第１制御工程で印加される電圧と同一の値であってもよいし、異なる値であってもよい。即ち、第１制御工程で印加される電圧と第５制御工程で印加される電圧は、同極性でありさえすれば、互いに異なる値であっても構わない。
【００３５】
ここで特に、本発明者の研究するところによれば、第１の極限光学状態から他の光学状態へと光学状態を変化させる場合、電圧が印加される期間に対する光学状態の変化率は常に一定とはならないことが判明している。具体的には、第１の極限光学状態から第２の極限光学状態方向への書き換え開始直後の光学状態の変化は大きいが、第２の極限光学状態に近づくにつれて光学状態の変化は小さくなっていく傾向にある。なお、このような特性は第２の極限光学状態からの書き換えに対しても同様であり、第２の極限光学状態から第１の極限光学状態方向への書き換え開始直後の光学状態の変化は大きいが、第１の極限光学状態に近づくにつれて光学状態の変化は小さくなっていく傾向にある。
【００３６】
このため、例えば白色を表示させた状態から白色に近い淡い灰色を表示させようとする場合、１フレーム期間だけ電圧を印加しただけでも、表示すべき灰色より黒色に近い灰色が表示されてしまうおそれがある。即ち、書き換え開始直後の光学状態の変化率が大き過ぎるため、書き換え開始の光学状態に近い中間光学状態を表示させることが非常に難しくなるという事態が発生し得る。
【００３７】
しかるに本発明では特に、上述したように、第１制御工程後における第１の極限光学状態から第１の中間光学状態への書き換えが、第２制御工程及び第５制御工程の２つの工程に分けて行われる。よって、比較的光学状態の変化率が高い第１の極限光学状態から第２の極限光学状態方向への書き換え（即ち、第２制御工程）によって、書き換え画素の光学状態が第１の中間光学状態より第２の極限光学状態に近い光学状態となったとしても、比較的光学状態の変化率が低い第１の極限光学状態方向への書き換え（即ち、第５制御工程）によって光学状態の微調整が行える。従って、より第１の中間光学状態に近い光学状態を実現することができる。
【００３８】
本発明に係る電気光学装置の制御方法の他の態様では、前記画素を前記光学状態Ａから前記光学状態Ｂへと移行させる場合の駆動電圧及び駆動時間の積分値Ｗ（Ａ→Ｂ）の絶対値は、前記光学状態Ａと前記光学状態Ｂとの差の絶対値が大きいほど大きくなる。
【００３９】
この態様によれば、書き換え前の光学状態及び書き換え後の光学状態の差（言い換えれば、書き換えによる光学状態の変化量）と、移行させる場合の駆動電圧及び駆動時間の積分値の絶対値が対応しているため、第３制御工程及び第４制御工程の各々の期間を、容易且つ確実にＷ（Ａ→Ｂ）＝−Ｗ（Ｂ→Ａ）を満たすよう設定できる。
【００４０】
本発明に係る電気光学装置の制御方法の他の態様では、前記画素を前記光学状態Ａから光学状態Ｃへと移行させた後に前記光学状態Ｂへと移行させる場合の駆動電圧及び駆動時間の積分値Ｗ（Ａ→Ｃ→Ｂ）が、前記画素を前記光学状態Ａから前記光学状態Ｂへと移行させる場合の駆動電圧及び駆動時間の積分値Ｗ（Ａ→Ｂ）と等しくなる。
【００４１】
この態様によれば、画素を光学状態Ａから光学状態Ｂへと移行させる際に、一旦他の光学状態Ｃを経由したとしても、移行させる場合の駆動電圧及び駆動時間の積分値は変わらない。従って、途中でどのような光学状態になったかによらず、移行前の光学状態Ａ及び移行後の光学状態Ｂに基づいて、第３制御工程及び第４制御工程の期間を設定することができる。
【００４２】
なお、本態様では、積分値Ｗ（Ａ→Ｃ→Ｂ）が積分値Ｗ（Ａ→Ｂ）と等しくなるため、当然の如く、積分値Ｗ（Ａ→Ｃ→Ｂ）＝−Ｗ（Ｂ→Ａ）という関係が満たされることになる。
【００４３】
本発明に係る電気光学装置の制御方法の他の態様では、前記第３制御工程及び前記第４制御工程の各々の期間は、光学状態と駆動電圧及び駆動時間の積分値との関係に基づいて決定されるウエイトテーブルを用いて設定される。
【００４４】
この態様によれば、予め光学状態と駆動電圧及び駆動時間の積分値との関係に基づいてウエイトテーブルが決定されている。ウエイトテーブルには、例えば光学状態毎に対応する駆動電圧及び駆動時間の積分値が設定されている。そして、画像書き換えの際には、書き換え前の光学状態に対応する積分値と、書き換え後の光学状態に対応する積分値との差分に応じて各制御工程の期間が設定される。
【００４５】
ウエイトテーブルを用いれば、単純にテーブルから数値を選択するだけで、各制御工程の期間を設定することができる。従って、Ｗ（Ａ→Ｂ）＝−Ｗ（Ｂ→Ａ）という関係を満たしつつ、極めて容易に画像書き換えを行える。
【００４６】
上述したウエイトテーブルを用いる態様では、前記ウエイトテーブルは、基準となる光学状態毎に１つのウエイト値を有しており、前記ウエイト値は、任意の光学状態Ｌｉのウエイト値をＷＨＴ（Ｌｉ）、光学状態Ｌｊのウエイト値をＷＨＴ（Ｌｊ）とした場合に、前記画素を前記光学状態Ｌｉから前記光学状態Ｌｊへと移行させる場合の駆動電圧及び駆動時間の積分値Ｗ（Ｌｉ→Ｌｊ）が、ＷＨＴ（Ｌｊ）−ＷＨＴ（Ｌｉ）に比例するように決定されていてもよい。
【００４７】
この場合、ウエイトテーブルには、例えば上述したレベル０から７のように８段階で基準となる光学状態が設定されており、これら基準となる光学状態毎に１つのウエイト値（言い換えれば、駆動電圧及び駆動時間の積分値）に対応する値が設定されている。
【００４８】
本態様では特に、任意の光学状態Ｌｉから光学状態Ｌｊへと移行させる場合の駆動電圧及び駆動時間の積分値Ｗ（Ｌｉ→Ｌｊ）が、各光学状態に対応するウエイト値の差（即ち、ＷＨＴ（Ｌｊ）−ＷＨＴ（Ｌｉ））に比例するようにウエイトテーブルが決定されている。このようにウエイトテーブルを決定すれば、各光学状態に対応するウエイト値を適切な値とすることができる（即ち、光学状態と対応するウエイト値との関係を適切なものとすることができる）。従って、確実にＷ（Ａ→Ｂ）＝−Ｗ（Ｂ→Ａ）という関係を実現できる。
【００４９】
上述したウエイトテーブルを用いる態様では更に、前記ウエイトテーブルは、基準となる光学状態毎に１つのウエイト値を有しており、前記ウエイト値は、光学状態に対して単調増加又は単調減少するように決定されていてもよい。
【００５０】
この場合、例えば上述したレベル０から７のように８段階で基準となる光学状態が設定されているとすると、ウエイト値は、光学状態のレベルが大きいほど大きい値となる（単調増加）。具体的には、レベル０に対応するウエイト値よりレベル１に対応するウエイト値が大きく、レベル１に対応するウエイト値よりレベル２に対応するウエイト値の方が大きくなる。或いは、ウエイト値は、光学状態のレベルが大きいほど小さい値となる（単調減少）。具体的には、レベル０に対応するウエイト値よりレベル１に対応するウエイト値が小さく、レベル１に対応するウエイト値よりレベル２に対応するウエイト値の方が小さくなる。
【００５１】
上述したようにウエイトテーブルを決定すれば、各光学状態に対応するウエイト値を適切な値とすることができる（即ち、光学状態と対応するウエイト値との関係を適切なものとすることができる）。従って、確実にＷ（Ａ→Ｂ）＝−Ｗ（Ｂ→Ａ）という関係を実現できる。
【００５２】
本発明に係る電気光学装置の制御装置は上記課題を解決するために、互いに交差する複数の走査線及び複数のデータ線の交差に対応して設けられ、互いに対向する画素電極及び対向電極間に電気光学物質を夫々有する複数の画素を有し、前記画素は、第１の極限光学状態、第２の極限光学状態、並びに前記第１の極限光学状態及び前記第２の極限光学状態間の複数の中間光学状態をとり得る表示部と、該表示部に画像データに応じた画像を表示させるために、前記複数の画素の各々の前記画素電極に前記画像データに応じた電圧パルスを複数のフレーム期間において供給する駆動部とを備えた電気光学装置を制御する制御装置であって、前記画素を第１の中間光学状態に移行させる際に、前記画素電極に対して、前記第１の極限光学状態に至るまで、第１の電圧パルスを供給する第１制御手段と、前記第１制御手段によって前記第１の電圧パルスが供給された後、前記画素電極に対して、前記第１の中間光学状態に近づくように、前記第１の電圧パルスと逆極性の第２の電圧パルスを供給する第２制御手段と、前記第１制御手段によって前記第１の電圧パルスが供給される前に、前記画素電極に対して、第３の電圧パルスを供給する第３制御手段と、前記第３制御手段によって前記第３の電圧パルスが供給された後、且つ前記第１制御手段によって前記第１の電圧パルスが供給される前に、前記画素電極に対して、前記第３の電圧パルスと逆極性の第４の電圧パルスを供給する第４制御手段とを備え、前記第３制御手段が前記第３の電圧パルスを供給する期間及び前記第４制御手段が前記第４の電圧パルスを供給する期間の各々は、前記画素を任意の光学状態Ａから光学状態Ｂへと移行させる場合の駆動電圧及び駆動時間の積分値Ｗ（Ａ→Ｂ）と、前記画素を前記光学状態Ｂから前記光学状態Ａへと移行させる場合の駆動電圧及び駆動時間の積分値Ｗ（Ｂ→Ａ）との関係がＷ（Ａ→Ｂ）＝−Ｗ（Ｂ→Ａ）を満たすように設定されている。
【００５３】
本発明に係る電気光学装置の制御装置によれば、前述した本発明に係る電気光学装置の制御方法と同様に、ＤＣバランス比を保ちつつ、好適に所望の中間光学状態を実現させることができる。この結果、電気光学装置において、高い信頼性を実現しつつ、高品位な画像を表示させることが可能となる。
【００５４】
なお、本発明に係る電気光学装置の制御装置においても、前述した本発明に係る電気光学装置の制御方法における各種態様と同様の各種態様を採ることが可能である。
【００５５】
本発明に係る電気光学装置は上記課題を解決するために、前述した本発明に係る電気光学装置の制御装置（但し、その各種態様も含む）を備える。
【００５６】
本発明に係る電気光学装置によれば、前述した本発明に係る電気光学装置の制御装置を備えるので、ＤＣバランス比を保ちつつ、好適に所望の中間光学状態を実現させることができる。この結果、信頼性が高く、高品位な画像を表示させることが可能な電気光学装置を実現できる。
【００５７】
本発明に係る電子機器は上記課題を解決するために、前述した本発明に係る電気光学装置（但し、その各種態様も含む）を備える。
【００５８】
本発明に係る電子機器によれば、前述した本発明に係る電気光学装置を備えるので、信頼性が高く、高品質な画像を表示することが可能な、例えば、腕時計、電子ペーパー、電子ノート、携帯電話、携帯用オーディオ機器などの各種電子機器を実現できる。
【００５９】
本発明の作用及び他の利得は次に説明する発明を実施するための形態から明らかにされる。
【図面の簡単な説明】
【００６０】
【図１】実施形態に係る電気泳動表示装置の全体構成を示すブロック図である。
【図２】実施形態に係る電気泳動表示装置の表示部周辺の構成を示すブロック図である。
【図３】実施形態に係る画素の電気的な構成を示す等価回路図である。
【図４】実施形態に係る電気泳動表示装置の表示部の部分断面図である。
【図５】白から黒へ書き換える際の階調の変化を示すグラフである。
【図６】黒から白へ書き換える際の階調の変化を示すグラフである。
【図７】レベル４の中間階調を表示させる場合の電圧印加方法を示す概念図である。
【図８】レベル６の中間階調をフェーズＡ及びフェーズＢのみで表示させようとする場合の電圧印加方法を示す概念図である。
【図９】フェーズＣを用いてレベル６の中間階調を表示させる場合の電圧印加方法を示す概念図である。
【図１０】レベル３の中間階調をレベル５の中間階調に書き換える場合の電圧印加方法を示す概念図である。
【図１１】レベル５の中間階調をレベル３の中間階調に書き換える場合の電圧印加方法を示す概念図である。
【図１２】ウエイトテーブルの一例を示すテーブル図である。
【図１３】レベル０の階調をレベル５の中間階調に書き換える場合の電圧印加方法を示す概念図である。
【図１４】レベル１の中間階調をレベル５の中間階調に書き換える場合の電圧印加方法を示す概念図である。
【図１５】レベル２の中間階調をレベル５の中間階調に書き換える場合の電圧印加方法を示す概念図である。
【図１６】レベル５の中間階調をレベル５の中間階調に書き換える場合の電圧印加方法を示す概念図である。
【図１７】レベル７の階調をレベル５の中間階調に書き換える場合の電圧印加方法を示す概念図である。
【図１８】レベル５の中間階調をレベル７の階調に書き換える場合の電圧印加方法を示す概念図である。
【図１９】電気光学装置を適用した電子機器の一例たる電子ペーパーの構成を示す斜視図である。
【図２０】電気光学装置を適用した電子機器の一例たる電子ノートの構成を示す斜視図である。
【発明を実施するための形態】
【００６１】
以下では、本発明の実施形態について図を参照しつつ説明する。
【００６２】
＜電気光学装置＞
本実施形態に係る電気光学装置について、図１から図１８を参照して説明する。なお、以下の実施形態では、本発明に係る電気光学装置の一例として、アクティブマトリクス駆動方式の電気泳動表示装置を挙げて説明する。
【００６３】
先ず、本実施形態に係る電気泳動表示装置の全体構成について、図１から図３を参照して説明する。
【００６４】
図１は、本実施形態に係る電気泳動表示装置の全体構成を示すブロック図である。
【００６５】
図１において、本実施形態に係る電気泳動表示装置１は、表示部３、ＲＯＭ４、ＲＡＭ５、コントローラ１０及びＣＰＵ１００を備えて構成されている。
【００６６】
表示部３は、メモリ性を有する表示素子を有しており、書き込みを行なわない状態においても表示状態が維持される表示デバイスである。なお、メモリ性とは、電圧の印加によって所定の表示状態になると、電圧が印加されなくなっても、その表示状態を維持しようとする性質をいうものであり、双安定性ともいう。表示部３の具体的な構成については後に詳述する。
【００６７】
ＲＯＭ４は、電気泳動表示装置１の動作時に用いるデータを記憶する手段である。ＲＯＭ４には、例えば、各画素において目標とする表示状態を実現するための駆動電圧の波形テーブルが記憶されている。駆動電圧の波形テーブルについては後に詳述する。なお、ＲＯＭ４は、ＲＡＭ等の書き換え可能な記憶手段でも代用することが可能である。
【００６８】
ＲＡＭ５は、上述したＲＯＭ４と同様に、電気泳動表示装置１の動作時に用いるデータを記憶する手段である。ＲＡＭ５は、例えば書き換え動作前の表示状態を示すデータや書き換え後の表示状態を示すデータを記憶する。またＲＡＭ５は、例えばフレームバッファとして機能するＶＲＡＭ等を含んでおり、ＣＰＵ１００の制御に基づいて、フレーム画像データを記憶する。
【００６９】
コントローラ１０は、上述したＲＯＭ４やＲＡＭ５に記憶されたデータを用いて表示部３の表示動作を制御する。コントローラ１０は、表示部３に表示させる画像を示す画像信号、その他各種信号（例えば、クロック信号等）を出力することによって表示部３を制御する。
【００７０】
ＣＰＵ１００は、電気泳動表示装置１の動作を制御するプロセッサであり、予め記憶されたプログラムを実行することにより、データの読み出しや書き込みを行う。ＣＰＵ１００は、例えば画像を書き換える際に、表示部３に表示させる画像データをＶＲＡＭに記憶させる。
【００７１】
図２は、本実施形態に係る電気泳動表示装置の表示部周辺の構成を示すブロック図である。
【００７２】
図２において、本実施形態に係る電気泳動表示装置１は、アクティブマトリクス駆動方式の電気泳動表示装置であり、表示部３と、コントローラ１０と、走査線駆動回路６０と、データ線駆動回路７０と、共通電位供給回路２２０とを備えている。
【００７３】
表示部３には、ｍ行×ｎ列分の画素２０がマトリクス状（二次元平面的）に配列されている。また、表示部３には、ｍ本の走査線４０（即ち、走査線Ｙ１、Ｙ２、…、Ｙｍ）と、ｎ本のデータ線５０（即ち、データ線Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。ｍ本の走査線４０とｎ本のデータ線５０との交差に対応して画素２０が配置されている。
【００７４】
コントローラ１０は、走査線駆動回路６０、データ線駆動回路７０及び共通電位供給回路２２０の動作を制御する。コントローラ１０は、例えば、クロック信号、スタートパルス等のタイミング信号を各回路に供給する。
【００７５】
走査線駆動回路６０は、コントローラ１０による制御下で、所定のフレーム期間中に、走査線Ｙ１、Ｙ２、…、Ｙｍの各々に走査信号をパルス的に順次供給する。
【００７６】
データ線駆動回路７０は、コントローラ１０による制御下で、データ線Ｘ１、Ｘ２、…、Ｘｎにデータ電位を供給する。データ電位は、基準電位ＧＮＤ（例えば０ボルト）、高電位ＶＳＨ（例えば＋１５ボルト）又は低電位−ＶＳＨ（例えば−１５ボルト）のいずれかの電位をとる。
【００７７】
共通電位供給回路２２０は、共通電位線９３に共通電位Ｖｃｏｍ（本実施形態では、基準電位ＧＮＤと同一の電位）を供給する。なお、共通電位Ｖｃｏｍは、共通電位Ｖｃｏｍが供給された対向電極２２と基準電位ＧＮＤが供給された画素電極２１との間に電圧が実質的に生じない範囲内で、基準電位ＧＮＤとは異なる電位であってもよい。例えば、共通電位Ｖｃｏｍが、フィードスルーによる画素電極２１の電位の変動を考慮して、画素電極２１に供給される基準電位ＧＮＤとは異なる値とされていてもよく、この場合であっても、本明細書では、共通電位Ｖｃｏｍと基準電位ＧＮＤとが同一であるとみなす。
【００７８】
ここで、フィードスルーとは、走査線４０に走査信号が供給され、データ線５０を介して画素電極２１に電位が供給された後に、走査線４０への走査信号の供給が終了した際（例えば走査線４０の電位が低下した際）、画素電極２１の電位が、走査線４０との間の寄生容量に起因して変動する（例えば走査線４０の電位低下とともに低下する）現象をいう。共通電位Ｖｃｏｍは、フィードスルーにより画素電極２１の電位が低下することを予め想定して、画素電極２１に供給される基準電位ＧＮＤより僅かに低い値とされることがあるが、この場合も共通電位Ｖｃｏｍと基準電位ＧＮＤとが同電位であるとみなす。
【００７９】
なお、コントローラ１０、走査線駆動回路６０、データ線駆動回路７０及び共通電位供給回路２２０には、各種の信号が入出力されるが、本実施形態と特に関係のないものについては説明を省略する。
【００８０】
図３は、本実施形態に係る画素２０の電気的な構成を示す等価回路図である。
【００８１】
図３において、画素２０は、画素スイッチング用トランジスター２４と、画素電極２１と、対向電極２２と、電気泳動素子２３と、保持容量２７とを備えている。
【００８２】
画素スイッチング用トランジスター２４は、例えばＮ型トランジスターで構成されている。画素スイッチング用トランジスター２４は、そのゲートが走査線４０に電気的に接続されており、そのソースがデータ線５０に電気的に接続されており、そのドレインが画素電極２１及び保持容量２７に電気的に接続されている。画素スイッチング用トランジスター２４は、データ線駆動回路７０（図２参照）からデータ線５０を介して供給されるデータ電位を、走査線駆動回路６０（図２参照）から走査線４０を介してパルス的に供給される走査信号に応じたタイミングで、画素電極２１及び保持容量２７に出力する。
【００８３】
画素電極２１には、データ線駆動回路７０からデータ線５０及び画素スイッチング用トランジスター２４を介して、データ電位が供給される。画素電極２１は、電気泳動素子２３を介して対向電極２２と互いに対向するように配置されている。
【００８４】
対向電極２２は、共通電位Ｖｃｏｍが供給される共通電位線９３に電気的に接続されている。
【００８５】
電気泳動素子２３は、電気泳動粒子をそれぞれ含んでなる複数のマイクロカプセルから構成されている。
【００８６】
保持容量２７は、誘電体膜を介して対向配置された一対の電極からなり、一方の電極が、画素電極２１及び画素スイッチング用トランジスター２４に電気的に接続され、他方の電極が共通電位線９３に電気的に接続されている。保持容量２７によってデータ電位を一定期間だけ維持することができる。
【００８７】
次に、本実施形態に係る電気泳動表示装置の表示部の具体的な構成について、図４を参照して説明する。
【００８８】
図４は、本実施形態に係る電気泳動表示装置１の表示部３の部分断面図である。
【００８９】
図４において、表示部３は、素子基板２８と対向基板２９との間に電気泳動素子２３が挟持される構成となっている。なお、本実施形態では、対向基板２９側に画像を表示することを前提として説明する。
【００９０】
素子基板２８は、例えばガラスやプラスチック等からなる基板である。素子基板２８上には、ここでは図示を省略するが、図２を参照して前述した画素スイッチング用トランジスター２４、保持容量２７、走査線４０、データ線５０、共通電位線９３等が作り込まれた積層構造が形成されている。この積層構造の上層側に複数の画素電極２１がマトリクス状に設けられている。
【００９１】
対向基板２９は、例えばガラスやプラスチック等からなる透明な基板である。対向基板２９における素子基板２８との対向面上には、対向電極２２が複数の画素電極２１と対向してベタ状に形成されている。対向電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００９２】
電気泳動素子２３は、電気泳動粒子をそれぞれ含んでなる複数のマイクロカプセル８０から構成されており、例えば樹脂等からなるバインダー３０及び接着層３１によって素子基板２８及び対向基板２９間で固定されている。なお、本実施形態に係る電気泳動表示装置１は、製造プロセスにおいて、電気泳動素子２３が予め対向基板２９側にバインダー３０によって固定されてなる電気泳動シートが、別途製造された、画素電極２１等が形成された素子基板２８側に接着層３１によって接着されて構成されている。
【００９３】
マイクロカプセル８０は、画素電極２１及び対向電極２２間に挟持され、１つの画素２０内に（言い換えれば、１つの画素電極２１に対して）１つ又は複数配置されている。
【００９４】
マイクロカプセル８０は、被膜８５の内部に分散媒８１と、複数の白色粒子８２と、複数の黒色粒子８３とが封入されてなる。マイクロカプセル８０は、例えば、５０ｕｍ程度の粒径を有する球状に形成されている。
【００９５】
被膜８５は、マイクロカプセル８０の外殻として機能し、ポリメタクリル酸メチル、ポリメタクリル酸エチル等のアクリル樹脂、ユリア樹脂、アラビアガム、ゼラチン等の透光性を有する高分子樹脂から形成されている。
【００９６】
分散媒８１は、白色粒子８２及び黒色粒子８３をマイクロカプセル８０内（言い換えれば、被膜８５内）に分散させる媒質である。分散媒８１としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒８１には、界面活性剤が配合されてもよい。
【００９７】
白色粒子８２は、例えば、二酸化チタン、亜鉛華（酸化亜鉛）、三酸化アンチモン等の白色顔料からなる粒子（高分子或いはコロイド）であり、例えば負に帯電されている。
【００９８】
黒色粒子８３は、例えば、アニリンブラック、カーボンブラック等の黒色顔料からなる粒子（高分子或いはコロイド）であり、例えば正に帯電されている。
【００９９】
このため、白色粒子８２及び黒色粒子８３は、画素電極２１と対向電極２２との間の電位差によって発生する電場によって、分散媒８１中を移動することができる。
【０１００】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【０１０１】
図４において、画素電極２１と対向電極２２との間に、相対的に対向電極２２の電位が高くなるように電圧が印加された場合には、正に帯電された黒色粒子８３はクーロン力によってマイクロカプセル８０内で画素電極２１側に引き寄せられるとともに、負に帯電された白色粒子８２はクーロン力によってマイクロカプセル８０内で対向電極２２側に引き寄せられる。この結果、マイクロカプセル８０内の表示面側（即ち、対向電極２２側）には白色粒子８２が集まることになり、表示部３の表示面にはこの白色粒子８２の色（即ち、白色）が表示されることとなる。逆に、画素電極２１と対向電極２２との間に、相対的に画素電極２１の電位が高くなるように電圧が印加された場合には、負に帯電された白色粒子８２がクーロン力によって画素電極２１側に引き寄せられるとともに、正に帯電された黒色粒子８３はクーロン力によって対向電極２２側に引き寄せられる。この結果、マイクロカプセル８０の表示面側には黒色粒子８３が集まることになり、表示部３の表示面にはこの黒色粒子８３の色（即ち、黒色）が表示されることとなる。
【０１０２】
なお、白色粒子８２、黒色粒子８３に用いる顔料を、例えば赤色、緑色、青色等の顔料に代えることによって、赤色、緑色、青色等を表示することができる。
【０１０３】
次に、本実施形態に係る電気泳動表示装置１の表示部３の特性について、図５及び図６を参照して説明する。以下では、本実施形態に係る電気泳動表示装置１が８段階の階調を表示可能な場合を例に挙げて説明を進める。ここでは、黒に対応する階調をレベル０、白に対応する階調をレベル７とし、黒と白との中間階調を夫々レベル１からレベル６で示す。なお、ここで言う階調は、本発明の「光学状態」の一例であり、例えば明度や反射率と言い換えることもできる。
【０１０４】
図５は、白から黒へ書き換える際の階調の変化を示すグラフである。
【０１０５】
図５において、白から黒へと画像を書き換える場合、電圧を印加する期間に対する階調の変化は、書き換え開始直後は大きいが、反対階調に近づくにつれて小さくなっていく傾向にある。即ち、白に近い階調である時点では大きく黒方向へと階調が変化するが、黒に近づくにつれて階調は変化し難くなっていく。
【０１０６】
図６は、黒から白へ書き換える際の階調の変化を示すグラフである。
【０１０７】
図６において、黒から白へと画像を書き換える場合も同様に、電圧を印加する期間に対する階調の変化は、書き換え開始直後は大きいが、反対階調に近づくにつれて小さくなっていく傾向にある。即ち、黒に近い階調である時点では大きく白方向へと階調が変化するが、白に近づくにつれて階調は変化し難くなっていく。
【０１０８】
このように、表示部３は、駆動電圧の印加期間に対して階調の変化率が変動する非線形的な特性を有している。よって、単純に階調の変化率に応じた期間だけ駆動電圧を印加したとしても、所望の階調を実現することは難しい。このため本実施形態では、異なる極性の電圧を印加する複数のフェーズによって目標階調を実現する。
【０１０９】
以下では、本実施形態に係る電気泳動表示装置１の画像書き換え動作について、図７から図９を参照して説明する。なお、図７から図９では、説明の便宜上、本実施形態に特有のＤＣバランス比を保つための期間（後述するフェーズＰ及びフェーズＮ）を省略している。
【０１１０】
図７は、レベル４の中間階調を表示させる場合の電圧印加方法を示す概念図である。
【０１１１】
図７において、書き換え前の階調がレベル０（即ち、黒色）であり、書き換え後の階調（以下、適宜「目標階調」と称する）がレベル４の中間階調であるとする。なお、目標階調は、本発明の「第１の光学状態」の一例である。
【０１１２】
この場合、書き換え対象の画素には、先ずフェーズＡにおいて、白に対応する駆動電圧−ＶＳＨが１５フレーム印加される。これにより、表示される階調はレベル７（即ち、白色）となる。
【０１１３】
フェーズＡは、白に対応する駆動電圧−ＶＳＨを、それまで表示されていた階調が白となるまでに長く印加する期間として設定される。なお、書き換え対象の画素において白が表示されていると判定された場合には、フェーズＡを省略することもできる。
【０１１４】
フェーズＡによれば、目標階調である中間階調を実現する前に一旦白を表示させることで、各画素でばらつきのある白色粒子８２及び黒色粒子８３の位置を互いに揃えることが可能となる。よって、中間階調を表示する際に、各画素における粒子の位置にばらつきが生じることに起因して、表示される階調にもばらつきが生じてしまうことを防止することができる。フェーズＡは、本発明の「第１制御工程」の一例である。
【０１１５】
続いて、フェーズＢにおいて、黒に対応する駆動電圧ＶＳＨが１フレーム印加される。これにより、表示される階調はレベル４となり、目標階調が実現される。
【０１１６】
フェーズＢは、書き換え対象の画素に対して黒色に対応する駆動電圧ＶＳＨ（即ち、フェーズＡと逆極性の電位）を印加する期間であり、フェーズＢを比較的短い期間（即ち、表示階調が黒に達しない程度の期間）にすることで、白と黒との中間階調である灰色を実現可能である。本実施形態に係る電気泳動表示装置１では、フェーズＢの期間を調整することにより、複数の中間階調を表示可能とされている。即ち、白に近い淡い灰色や黒に近い濃い灰色等を表示可能とされている。フェーズＢは、本発明の「第２制御工程」の一例である。
【０１１７】
ここで本願発明者の研究するところによれば、白色から中間階調へと階調を変化させる場合、上述した電気泳動素子２３の非線形的な特性に起因して、フェーズＢだけでは目標階調を実現できない場合が存在し得ることが判明している。以下では、フェーズＢだけでは実現できない階調について具体的に説明する。
【０１１８】
図８は、レベル６の中間階調をフェーズＡ及びフェーズＢのみで表示させようとする場合の電圧印加方法を示す概念図である。
【０１１９】
図８において、書き換え前の階調がレベル０（即ち、黒色）であり、目標階調がレベル６の中間階調であるとする。この場合、書き換え対象の画素には、先ずフェーズＡにおいて、白に対応する駆動電圧−ＶＳＨが１５フレーム印加される。これにより、表示される階調はレベル７（即ち、白色）となる。
【０１２０】
続いて、フェーズＢにおいて、黒に対応する駆動電圧ＶＳＨが１フレーム印加される。しかしながら、フェーズＢ後の表示階調は図７の場合と同様にレベル４となり、レベル６の目標階調は実現されない。即ち、電圧を印加する期間の最小単位である１フレームだけＶＳＨを印加した場合であっても、電気泳動素子２３の特性上、階調が大きく変化してしまい目標階調を実現することができない。
【０１２１】
上述したように、レベル４のような比較的白から離れた中間階調はフェーズＢのみでも実現可能であるが、レベル６のような比較的白に近い中間階調はフェーズＢのみでは実現することが難しい場合がある。これに対し、本実施形態では、フェーズＢの後にフェーズＣを実行することで、階調の微調整が行われる。以下では、フェーズＣを用いた画像の書き換えについて具体的に説明する
図９は、フェーズＣを用いてレベル６の中間階調を表示させる場合の電圧印加方法を示す概念図である。
【０１２２】
図９において、フェーズＣは、本発明の「第５制御工程」の一例であり、フェーズＢでの電圧印加によって目標階調より黒に近くなった階調を目標階調へと近づけるために設定される期間である。フェーズＣでは、書き換え対象画素に対して白に対応する駆動電圧ＶＳＨ（即ち、フェーズＡと同極性の電圧）が印加される。
【０１２３】
具体的には、フェーズＣは、フェーズＢによってレベル４となった階調（即ち、目標階調より黒に近い階調）を、目標階調であるレベル６とする期間として設定されている。フェーズＣでは、白に対応する駆動電圧ＶＳＨが印加されるため、階調は白に近づけられる。この際、階調の変化率は、図６でも示したように、比較的変化率の大きいフェーズＢと比べて小さくなる。即ち、フェーズＣでは、フェーズＢと比べて階調が緩やかに変化する。よって、フェーズＣにおいて駆動電圧ＶＳＨを４フレーム印加すれば、レベル４であった中間階調を、目標階調であるレベル６とすることができる。
【０１２４】
以上のように、フェーズＣを用いることで、フェーズＢだけでは実現し得ない階調を好適に実現することが可能となる。
【０１２５】
しかし、上述したように異なる極性の電圧を交互に印加して書き換えを行うと、書き換え工程全体で見た場合に、画素に印加される電圧の極性に偏りが生じてしまうおそれがある。具体的には、例えば白色に対応する極性の電圧を印加する期間と、黒色に対応する極性の電圧を印加する期間とに差が生じてしまうおそれがある。
【０１２６】
本願発明者の研究するところによれば、上述した極性の偏りが生じてしまうと、例えば表示の焼き付きや表示部の劣化といった不具合が生じることが判明している。このような不具合を防止するため、本実施形態では、上述したフェーズＡ、フェーズＢ及びフェーズＣの前に、ＤＣバランス比を保つためのフェーズＰ及びフェーズＮを実行する。
【０１２７】
以下では、フェーズＰ及びフェーズＮの設定方法について、図１０及び図１１を参照して説明する。
【０１２８】
図１０は、レベル３の中間階調をレベル５の中間階調に書き換える場合の電圧印加方法を示す概念図である。
【０１２９】
図１０において、フェーズＰは、黒に対応する駆動電圧ＶＳＨを印加する期間として設定される。即ち、フェーズＰでは、フェーズＢで印加される電圧と同極性の電圧が印加される。また、フェーズＮは、フェーズＰの後に、白に対応する駆動電圧−ＶＳＨを印加する期間として設定される。即ち、フェーズＮでは、フェーズＡ及びフェーズＣで印加される電圧と同極性の電圧が印加される。なお、フェーズＰは、本発明の「第３制御工程」の一例であり、フェーズＮは、本発明の「第４制御工程」の一例である。
【０１３０】
また、フェーズＰ開始前（即ち、書き換え開始前）の階調は、フェーズＮ終了後（即ち、フェーズＡ開始直前）の階調と等しくされることが好ましい。例えば、図１０で示す場合には、フェーズＰ開始前の階調及びフェーズＮ終了後の階調が共にレベル３とされている。このようにすれば、フェーズＰ及びフェーズＮの期間によらずに、実質的な書き換え期間であるフェーズＡ、フェーズＢ及びフェーズＣの各期間を設定することができる。
【０１３１】
また本実施形態では特に、フェーズＰ及びフェーズＮの各々の期間は、書き換えの際に印加される駆動電圧及び駆動時間の積分値（以下、単に「積分値」と称することがある）に基づいて設定される。具体的には、任意の階調Ａから階調Ｂへと書き換える場合の積分値Ｗ（Ａ→Ｂ）と、階調Ｂから階調Ａへと書き換える場合の積分値Ｗ（Ｂ→Ａ）との関係が、以下の数式（１）を満たすように設定される
Ｗ（Ａ→Ｂ）＝−Ｗ（Ｂ→Ａ）  ・・・（１）
即ち、逆方向へ書き換える場合の積分値は、正負が異なるだけで絶対値が等しくなるようにフェーズＰ及びフェーズＮの期間がそれぞれ設定される。
【０１３２】
なお、積分値Ｗ（Ａ→Ｂ）は、フェーズＡのフレーム期間をＡＦ、フェーズＢのフレーム期間をＢＦ、フェーズＣのフレーム期間をＣＦ、フェーズＰのフレーム期間をＰＦ、フェーズＮのフレーム期間をＮＦとすると、以下の数式（２）によって求めることができる。
【０１３３】
Ｗ（Ａ→Ｂ）＝ＶＳＨ×（−ＡＦ＋ＢＦ−ＣＦ＋ＰＦ−ＮＦ）  ・・・（２）
ここで、図１０に示すように、レベル３の中間階調をレベル５の中間階調に書き換える場合には、フェーズＰが１３フレーム、フェーズＮが１フレーム、フェーズＡが１４フレーム、フェーズＢが２フレーム、フェーズＣが２フレームにそれぞれ設定される。よって、この場合の積分値Ｗ（３→５）は、以下の数式（３）のように求められる。
【０１３４】
Ｗ（３→５）＝ＶＳＨ×（−１４＋２−２＋１３−１）＝−２ＶＳＨ  ・・・（３）
図１１は、レベル５の中間階調をレベル３の中間階調に書き換える場合の電圧印加方法を示す概念図である。
【０１３５】
図１１において、積分値Ｗ（３→５）が−２ＶＳＨであるため、逆方向に書き換える場合の積分値Ｗ（５→３）は２ＶＳＨとなればよい。このような関係を満たすには、フェーズＰを１５フレーム、フェーズＮを４フレーム、フェーズＡを１１フレーム、フェーズＢを２フレーム、フェーズＣを０フレームとすればよい。この場合の積分値（５→３）は、以下の数式（４）のように求められる。
【０１３６】
Ｗ（５→３）＝ＶＳＨ×（−１１＋２−０＋１５−４）＝２ＶＳＨ  ・・・（４）
このようにＷ（Ａ→Ｂ）＝−Ｗ（Ｂ→Ａ）という関係が満たされることにより、書き換え画素に対して印加される電圧の極性に偏りが生じてしまうことを防止することができる。よって、ＤＣバランス比が崩れてしまうことが抑制され、表示の焼き付きや表示部の劣化といった不具合を効果的に防止できる。
【０１３７】
ちなみに、Ｗ（Ａ→Ｂ）＝−Ｗ（Ｂ→Ａ）という関係は、図５及び図６を用いて説明した非線形的な特性により、フェーズＡ、フェーズＢ及びフェーズＣだけで実現することが極めて困難である。これに対し本実施形態では、フェーズＡ、フェーズＢ及びフェーズＣの前に、フェーズＰ及びフェーズＮが行われるため、フェーズＰ及びフェーズＮの各々の期間を調節することで、好適にＷ（Ａ→Ｂ）＝−Ｗ（Ｂ→Ａ）という関係を実現することができる。
【０１３８】
ちなみに、各フェーズの期間は、所定のウエイトテーブルを用いることで容易に設定することが可能となる。以下では、ウエイトテーブルを用いた各フェーズの期間設定方法について、図１２から図１８を参照して説明する。
【０１３９】
図１２は、ウエイトテーブルの一例を示すテーブル図である。
【０１４０】
図１２に示すように、ウエイトテーブルは０から７の各階調レベルに対応するウエイト値ＷＨＴを有している。ウエイト値ＷＨＴは、上述した画像書き換えの際の駆動電圧及び駆動時間の積分値に対応する値である。具体的には、目標階調に対応するウエイト値ＷＨＴから書き換え前の階調レベルに対応するウエイト値ＷＨＴを差し引いた値の正負を逆転させた値が、実際の書き換えにおける駆動電圧及び駆動時間の積分値となるように各フェーズの期間が設定される。
【０１４１】
ウエイト値ＷＨＴは、階調レベルに対して単調増加する値として設定されている。このようにすれば、上述したＷ（Ａ→Ｂ）＝−Ｗ（Ｂ→Ａ）という関係を好適に実現することが可能となる。なお、ウエイト値ＷＨＴは、階調レベルに対して単調減少する値として設定されてもよい。或いは、階調レベルに比例するような値として設定されてもよい。
【０１４２】
図１３はレベル０の階調をレベル５の中間階調に書き換える場合の電圧印加方法を示す概念図である。
【０１４３】
図１３において、レベル０の階調をレベル５の中間階調に書き換える場合には、先ず目標階調であるレベル５に対応するウエイト値ＷＨＴ（５）と、書き換え前の階調であるレベル０に対応するウエイト値ＷＨＴ（０）の差が求められる。ここで、図１２に示すテーブルでは、ＷＨＴ（５）＝１０、ＷＨＴ（０）＝０である。よって、目標階調と書き換え前の階調とでのウエイト値の差分は“１０”となる。よって、レベル０の階調をレベル５の中間階調に書き換える場合の積分値Ｗ（０→５）は“−１０”となるように各フェーズの期間が設定される。この結果、フェーズＰは５フレーム、フェーズＮは０フレーム、フェーズＡは１５フレーム、フェーズＢは２フレーム、フェーズＣは２フレームにそれぞれ設定される。
【０１４４】
図１４は、レベル１の中間階調をレベル５の中間階調に書き換える場合の電圧印加方法を示す概念図である。
【０１４５】
図１４において、レベル１の階調をレベル５の中間階調に書き換える場合には、目標階調であるレベル５に対応するウエイト値ＷＨＴ（５）と、書き換え前の階調であるレベル１に対応するウエイト値ＷＨＴ（１）の差が求められる。ここで、図１２に示すテーブルでは、ＷＨＴ（５）＝１０、ＷＨＴ（１）＝３である。よって、目標階調と書き換え前の階調とでのウエイト値の差分は“７”となる。よって、レベル１の中間階調をレベル５の中間階調に書き換える場合の積分値Ｗ（１→５）は“−７”となるように各フェーズの期間が設定される。この結果、フェーズＰは８フレーム、フェーズＮは０フレーム、フェーズＡは１５フレーム、フェーズＢは２フレーム、フェーズＣは２フレームにそれぞれ設定される。
【０１４６】
図１５は、レベル２の中間階調をレベル５の中間階調に書き換える場合の電圧印加方法を示す概念図である。
【０１４７】
図１５において、レベル２の階調をレベル５の中間階調に書き換える場合には、目標階調であるレベル５に対応するウエイト値ＷＨＴ（５）と、書き換え前の階調であるレベル２に対応するウエイト値ＷＨＴ（２）の差が求められる。ここで、図１２に示すテーブルでは、ＷＨＴ（５）＝１０、ＷＨＴ（２）＝５である。よって、目標階調と書き換え前の階調とでのウエイト値の差分は“５”となる。よって、レベル２の中間階調をレベル５の中間階調に書き換える場合の積分値Ｗ（２→５）は“−５”となるように各フェーズの期間が設定される。この結果、フェーズＰは１０フレーム、フェーズＮは１フレーム、フェーズＡは１４フレーム、フェーズＢは２フレーム、フェーズＣは２フレームにそれぞれ設定される。
【０１４８】
図１６は、レベル５の中間階調をレベル５の中間階調に書き換える場合の電圧印加方法を示す概念図である。
【０１４９】
図１６において、レベル５の階調をレベル５の中間階調に書き換える場合には、目標階調であるレベル５に対応するウエイト値ＷＨＴ（５）と、書き換え前の階調であるレベル５に対応するウエイト値ＷＨＴ（２）の差が求められる。ここで、目標階調と書き換え前の階調が同じである場合には、当然の如く、ウエイト値ＷＨＴの差分も“０”となる。よって、レベル５の中間階調をレベル５の中間階調に書き換える場合の積分値Ｗ（５→５）は“０”となるように各フェーズの期間が設定される。この結果、フェーズＰは１５フレーム、フェーズＮは１フレーム、フェーズＡは１４フレーム、フェーズＢは２フレーム、フェーズＣは２フレームにそれぞれ設定される。
【０１５０】
図１７は、レベル７の階調をレベル５の中間階調に書き換える場合の電圧印加方法を示す概念図である。
【０１５１】
図１７において、レベル７の階調をレベル５の中間階調に書き換える場合には、目標階調であるレベル５に対応するウエイト値ＷＨＴ（５）と、書き換え前の階調であるレベル７に対応するウエイト値ＷＨＴ（７）の差が求められる。ここで、図１２に示すテーブルでは、ＷＨＴ（５）＝１０、ＷＨＴ（７）＝１２である。よって、目標階調と書き換え前の階調とでのウエイト値の差分は“−２”となる。よって、レベル７の階調をレベル５の中間階調に書き換える場合の積分値Ｗ（７→５）は“２”となるように各フェーズの期間が設定される。この結果、フェーズＰは１７フレーム、フェーズＮは１２フレーム、フェーズＡは３フレーム、フェーズＢは２フレーム、フェーズＣは２フレームにそれぞれ設定される。
【０１５２】
図１８は、レベル５の中間階調をレベル７の階調に書き換える場合の電圧印加方法を示す概念図である。
【０１５３】
図１８において、レベル５の中間階調をレベル７の階調に書き換える場合には、目標階調であるレベル７に対応するウエイト値ＷＨＴ（７）と、書き換え前の階調であるレベル５に対応するウエイト値ＷＨＴ（５）の差が求められる。ここで、図１２に示すテーブルでは、ＷＨＴ（７）＝１２、ＷＨＴ（５）＝１０である。よって、目標階調と書き換え前の階調とでのウエイト値の差分は“２”となる。よって、レベル５の中間階調をレベル７の階調に書き換える場合の積分値Ｗ（５→７）は“−２”となるように各フェーズの期間が設定される。この結果、フェーズＰは１３フレーム、フェーズＮは１２フレーム、フェーズＡは３フレーム、フェーズＢは０フレーム、フェーズＣは０フレームにそれぞれ設定される。
【０１５４】
ここで、図１７及び図１８を比べても分かるように、ウエイトテーブルを用いることで、Ｗ（Ａ→Ｂ）＝−Ｗ（Ｂ→Ａ）という関係が確実に実現される。よって、ＤＣバランス比が崩れてしまうことを確実に抑制することが可能となる。
【０１５５】
以上説明したように、本実施形態によれば、フェーズＰ及びフェーズＮによってＤＣバランス比を保ちつつ、フェーズＡ、フェーズＢ及びフェーズＣによって好適に所望の中間光学状態を実現させることができる。この結果、電気光学装置１において、高い信頼性を実現しつつ、高品位な画像を表示させることが可能となる。
【０１５６】
なお、上記実施形態では、フェーズＡ、フェーズＣ及びフェーズＮにおいて白に対応する電圧を印加し、フェーズＢ及びフェーズＰにおいて黒に対応する電圧を印加する場合について説明したが、それぞれの極性は逆とされても構わない。即ち、フェーズＡ、フェーズＣ及びフェーズＮにおいて黒に対応する電圧を印加し、フェーズＢ及びフェーズＰにおいて白に対応する電圧を印加するようにしてもよい。
【０１５７】
加えて、各フェーズにおいて実現される階調を白及び黒のいずれにするか選択するようにしてもよい。即ち、各フェーズにおいて実現される階調は白又は黒に固定されるのではなく、書き換え前の階調や目標階調に応じて白又は黒のいずれかが適宜選択されるようにしてもよい。このようにすれば、より効率的に中間階調を表示させることが可能となる。ただし、フェーズＡ及びフェーズＣで印加される電圧はフェーズＢで印加される電圧とは逆極性であることが条件となる。同様に、フェーズＰで印加される電圧はフェーズＮで印加される電圧とは逆極性であることが条件となる
また、上記実施形態では、白色粒子８２が負に帯電し、黒色粒子８３が正に帯電している例で説明したが、白色粒子８２が正に帯電し、黒色粒子８３が負に帯電していてもよい。また、電気泳動素子２３は、マイクロカプセル８０を有する構成に限られず、隔壁によって仕切られた空間に電気泳動分散媒と電気泳動粒子が含まれる構成であってもよい。また、電気光学装置として電気泳動素子２３を有するものを例に説明したが、これに限定する趣旨ではない。電気光学装置は、例えば電子粉流体を用いた電気光学装置であってもよい。
【０１５８】
＜電子機器＞
次に、前述した電気泳動表示装置を適用した電子機器について、図１９及び図２０を参照して説明する。以下では、前述した電気泳動表示装置を電子ペーパー及び電子ノートに適用した場合を例にとる。
【０１５９】
図１９は、電子ペーパー１４００の構成を示す斜視図である。
【０１６０】
図１９に示すように、電子ペーパー１４００は、前述した実施形態に係る電気泳動表示装置を表示部１４０１として備えている。電子ペーパー１４００は可撓性を有し、従来の紙と同様の質感及び柔軟性を有する書き換え可能なシートからなる本体１４０２を備えて構成されている。
【０１６１】
図２０は、電子ノート１５００の構成を示す斜視図である。
【０１６２】
図２０に示すように、電子ノート１５００は、図１９で示した電子ペーパー１４００が複数枚束ねられ、カバー１５０１に挟まれているものである。カバー１５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【０１６３】
前述した電子ペーパー１４００及び電子ノート１５００は、前述した実施形態に係る電気泳動表示装置を備えるので、高品質な画像表示を行うことが可能である。
【０１６４】
なお、これらの他に、腕時計、携帯電話、携帯用オーディオ機器などの電子機器の表示部に、前述した本実施形態に係る電気泳動表示装置を適用することができる。
【０１６５】
本発明は、上述した実施形態に限られるものではなく、特許請求の範囲及び明細書全体から読み取れる発明の要旨或いは思想に反しない範囲で適宜変更可能であり、そのような変更を伴う電気光学装置の制御方法、電気光学装置の制御装置、電気光学装置、及び電子機器もまた本発明の技術的範囲に含まれるものである。
【符号の説明】
【０１６６】
３…表示部、４…ＲＯＭ、５…ＲＡＭ、１０…コントローラ、２０…画素、２１…画素電極、２２…対向電極、２４…画素スイッチング用トランジスター、２８…素子基板、２９…対向基板、４０…走査線、５０…データ線、６０…走査線駆動回路、７０…データ線駆動回路、８２…白色粒子、８３…黒色粒子、１００…ＣＰＵ、２２０…共通電位供給回路。
【図１】
0005982927.tif 000002
【図２】
0005982927.tif 000003
【図３】
0005982927.tif 000004
【図４】
0005982927.tif 000005
【図５】
0005982927.tif 000006
【図６】
0005982927.tif 000007
【図１２】
0005982927.tif 000008
【図１９】
0005982927.tif 000009
【図２０】
0005982927.tif 000010
【図７】
0005982927.tif 000011
【図８】
0005982927.tif 000012
【図９】
0005982927.tif 000013
【図１０】
0005982927.tif 000014
【図１１】
0005982927.tif 000015
【図１３】
0005982927.tif 000016
【図１４】
0005982927.tif 000017
【図１５】
0005982927.tif 000018
【図１６】
0005982927.tif 000019
【図１７】
0005982927.tif 000020
【図１８】
0005982927.tif 000021